(57)【要約】【課題】パネルにカバーを簡単且つ確実な構成で着脱自在に取り付けることができ、必要に応じてカバーの開閉を自在に行うことができる二重床構造。【解決手段】所定の配線通路を形成するように、支持部を床面に配設すると共に、複数のパネルを支持部で支持して所定間隔で整列配置し、パネルの側周縁相互間やパネル隅部周縁相互間の配線通路の上面に直線部カバーや交差部カバーを架設し、上面を略平坦化する二重床構造に於いて、屈曲性を有する屈曲部とヒンジ係合部を備えるヒンジ部をカバーの端部や一方側に設け、パネルの前記ヒンジ部と対応する箇所にヒンジ被係合部を設け、カバーのヒンジ係合部をパネルのヒンジ被係合部に着脱可能に係合して、前記屈曲部の屈曲によりカバーを開閉可能とするヒンジ機構を構成する。【選択図】　　　　図６
2004143915.tif 000002
【特許請求の範囲】
【請求項１】
支持部を床面に配設し、複数のパネルを該支持部で支持して整列配置し、複数のパネル隅部が集合する箇所の上面にカバーを設けて構成された二重床構造に於いて、前記カバーの端部に屈曲性を有する屈曲部とヒンジ係合部を備えるヒンジ部を設け、前記パネル隅部の集合箇所に於ける少なくとも一つのパネル隅部にヒンジ被係合部を設け、該ヒンジ係合部を、該ヒンジ被係合部に着脱可能に係合して、該屈曲部の屈曲により該カバーを開閉可能とするヒンジ機構を構成することを特徴とする二重床構造。
【請求項２】
前記カバーを、略板状の金属材と所定の弾性材若しくは樹脂材とを一体化して構成し、該弾性材若しくは樹脂材に前記屈曲部とヒンジ係合部とを備えるヒンジ部を形成していることを特徴とする請求項１記載の二重床構造。
【請求項３】
所定の配線通路を形成するように、支持部を床面に配設すると共に、複数のパネルを該支持部で支持して所定間隔で整列配置し、該パネル周縁相互間の配線通路の上面にカバーを架設して構成された二重床構造に於いて、屈曲性を有する屈曲部とヒンジ係合部とを備えるヒンジ部を前記カバーの一方側に設け、前記パネルの該ヒンジ部と対応する箇所にヒンジ被係合部を設け、該ヒンジ係合部を、該ヒンジ被係合部に着脱可能に係合して、該屈曲部の屈曲により該カバーを開閉可能とするヒンジ機構を構成することを特徴とする二重床構造。
【請求項４】
前記カバーを弾性材若しくは樹脂材で構成し、該弾性材若しくは樹脂材に前記屈曲性を有する屈曲部とヒンジ係合部を備えるヒンジ部を形成していることを特徴とする請求項３記載の二重床構造。
【請求項５】
所定の配線通路を形成するように、支持部を床面に配設すると共に、複数のパネルを該支持部で支持して所定間隔で整列配置し、該パネル周縁相互間の配線通路の上面に直線部カバーと交差部カバーを架設して構成された二重床構造に於いて、前記直線部カバーの一方側に、屈曲性を有する屈曲部とヒンジ係合部を備えるヒンジ部を設け、前記パネルの所定箇所に、該ヒンジ部と対応するヒンジ被係合部を設け、該ヒンジ係合部を該ヒンジ被係合部に着脱可能に係合して、該屈曲部の屈曲により該直線部カバーを開閉可能とするヒンジ機構を構成すると共に、該直線部カバーに該パネルの側周縁で係合する係合設置部を設け、前記交差部カバーの一端部に、屈曲性を有する屈曲部とヒンジ係合部を備えるヒンジ部を設け、前記パネル隅部の集合箇所に於ける少なくとも一つのパネル隅部にヒンジ被係合部を設け、該ヒンジ係合部を該ヒンジ被係合部に着脱可能に係合して、該屈曲部の屈曲により該交差部カバーを開閉可能とするヒンジ機構を構成すると共に、該交差部カバーに該パネルの隅部周縁で係合する係合設置部を設けることを特徴とする二重床構造。
【請求項６】
前記カバーのヒンジ部は、該カバーを開けた際、所定の位置の開状態から閉状態へ前記屈曲部の屈曲により復帰することを特徴とする請求項１、２、３、４又は５記載の二重床構造。
【請求項７】
所定の配線通路を形成する様に、支持部を床面に配設すると共に、複数のパネルを該支持部で支持して所定間隔で整列配置し、該パネル周縁相互間の配線通路上面に直線部カバー及び該パネル隅部が集合する配線通路上面に交差部カバーを架設して構成された二重床構造に於いて、前記直線部カバーは、その一方側に、前記交差部カバーは、その一端部側に夫々開閉可能とするヒンジ部を設け、該直線部カバーが隣合って設けられる前記パネルの２辺側と、該パネルの２辺側の該交差部カバーが設けられるパネル隅部、若しくは該直線部カバーが隣合って設けられない該パネルの２辺側の該交差部カバーが設けられるパネル隅部とに、前記各ヒンジ部と対応するヒンジ被係合部を夫々設け、前記直線部カバー及び前記交差部カバーの各ヒンジ部を、前記ヒンジ被係合部に係合し、前記パネルに該直線部カバー及び該交差部カバーを夫々着脱可能であって開閉自在に設け１ユニットを構成することを特徴とする二重床構造。
【請求項８】
前記直線部カバー及び前記交差部カバーの各ヒンジ部は、前記ヒンジ被係合部に係合可能であって、該各カバーが回動操作により開状態にした場合にはその開状態を維持し、閉状態にした場合にはその閉状態を維持可能とするように先端部の断面が略Ｒ形状に形成された差込み式構造とすることを特徴とする請求項７記載の二重床構造。
【請求項９】
前記カバーのヒンジ部は、該カバーの上面がパネルの上面に近接する開状態を維持可能であることを特徴とする請求項１、２、３、４、５、６、７又は８記載の二重床構造。
【請求項１０】
前記カバーに回動可能な係止部を設けると共に、該係止部と対応する前記パネルの所定位置に被係止部を設け、該係止部を該被係止部に係合して該カバーの開状態を維持可能であることを特徴とする請求項１、２、３、４、５、６、７、８又は９記載の二重床構造。
【請求項１１】
前記交差部カバーおよび前記直線部カバーのうちの少なくとも一方は、その上面側に設けられた金属材と、その下面側に設けられ前記パネルの周縁に係合する弾性樹脂材とが重合して構成されていることを特徴とする請求項７記載の二重床構造。
【発明の詳細な説明】
【０００１】
【発明の属する技術分野】
本発明は、主として配線等を所望の位置から引き出せるフリーアクセスフロアに係り、特にパネルを床面上で支持し、パネル相互間等にカバー材を設ける二重床構造に関する。
【０００２】
【従来の技術】
フリーアクセスフロアの技術分野において、電算機室、ＯＡ機器対応用として支持脚でパネルを支持する二重床構造が知られ、現代に至るまで多種多様な構成のものが広く用いられている。特に、建物の既設の床スラブは不陸を有するのが常であるが故に、支持脚の高さを調整可能とし、パネル敷設時に支持脚の高さを調整しながら不陸に適応して、フリーアクセスフロアの施工が行われている。
【０００３】
この種の支持脚の高さ調整機構を有する二重床構造は、主にパネルと支持脚とが一体的に固設された支持脚一体型或いは支柱一体型の構造と、パネルと支持脚とが別体で分離可能な支持脚分離型或いは支柱分離型の構造に大別される。そして、例えば独立した支持脚を有する支持脚分離型の二重床構造を不陸を有する床スラブ上に設置する場合、その支持脚或いは支柱の高さを調整し、パネル面を一様に平坦化してパネルを敷設する作業が現場施工で行われる。
【０００４】
しかし、上記の様な支持脚でパネルを支持する二重床構造は、二重床構造の施工後にオフィスでレイアウト変更等により、配線器具の設置、配線移増設等の変更が必要になった場合に、敷設された多数のパネルを取り外す必要性が生じ、かような変更時の施工作業が大がかりになるという欠点を有する。
【０００５】
かかる欠点の解消を図る二重床構造として、例えば略正方形のパネル間や４個のパネルの隅が近接する箇所に直線状や十字状の配線通路或いは配線溝を形成して、その上面開口をカバーで塞ぎ、上面を平坦化する配線溝型の二重床構造が知られている。この種の構造は、例えば実開平４−６６２４８号公報（特許文献１３）のフリーアクセスフロアに示される様に、パネル相互間に配線通路或いは配線溝が形成され、ここに配線や配線器具等を設置し、カバー（サブパネル、クロスパネル）で覆うものであり、配線や配線器具の設置、移増設等に対する施工作業の労力を低減することができる。
【０００６】
しかしながら、実開平４−６６２４８号公報（特許文献１３）のフリーアクセスフロアは、隣接するメインパネルの段差面にサブパネルを載置し、段差面でサブパネルを支持するものであり、この様な構造では、二重床構造やパネルの設置状態の安定性に欠け、例えば床面の不陸が大きい場合や不陸調整が不十分の場合、カバーが不陸に吸収、追従しきれずに浮き上がったり、ガタツキが生じ、又、什器移動や歩行の際にはガタツキ音を生ずる。この様な構造では、カバー敷設の位置決め固定やその敷設状態の安定性が悪いという問題があった。
【０００７】
そのため、カバーの位置決めや固定の構造に技術的工夫を施し、上記問題の解消を図るべく提案された公知技術として、実開平１−１６８７４１号公報（フリーアクセスフロア：特許文献１）、実開平５−９６２８１号公報（フリーアクセスフロア：特許文献２）、実公平７−５８７号公報（配線用フロアパネル装置：特許文献３）、特開平９−２９６５９２号公報（床構造及び床施工方法：特許文献４）がある。
【０００８】
上記特許文献１および２は、結合板（蓋）側に爪（突起）を設け、パネル（床板）側の段差にその爪（突起）が嵌め込まれる孔（溝）を設け、爪（突起）と孔（溝）を係合する構造であり、特許文献３はカバー部材に下方に出っ張って形成された凸部が配線溝形成用ブロックの段部の凹部に係合する係合構造であり、特許文献４）は交差部パネル部材と直線部パネル部材を床パネル本体の載置棚部で位置決め機構により位置決め固定し、交差部をビス止めで取り付ける構造である。
【０００９】
また、この他の関連技術に、連結部材を回転操作することによりパネル隅部相互を固定して連結する構成として、特開平３−１４４０６０号公報（フロアパネルの連結装置：特許文献５）、実開平５−５４７３６号公報（フロアパネルの連結装置：特許文献６）、実開平５−３４２３７号公報（フロアパネルの連結構造：特許文献７）がある。これらの連結構造は、回転操作の連結部材を採用することにより、簡単な操作で比較的容易に施工することができると共に、パネルを確実に連結することが可能である。
【００１０】
しかし、上記特許文献１および２の公知技術は、パネル相互やパネルコーナー部に於いて配線溝上に設けられるカバーは、パネルに比べて小さく、然も比較的数多く敷設されるため、施工作業が煩雑化し、施工作業者や使用者がカバー材の設置を忘れたり、カバーを紛失したりする場合が多いという問題がある。
【００１１】
また、前記カバーを設置する構成は、ダイキャスト等による板厚の厚い鋼板や補強リブ構造を採用してカバーに高い強度や耐荷重性を確保し、そのカバーを比較的広い間隔で設置されるパネル相互間やパネルコーナー部の集合箇所に設けるものであるため、カバーの構造が複雑となると共に、カバー材が高価になるという問題がある。
【００１２】
上記特許文献１および２の公知技術は、パネルの平板部の上面より一段低いコーナー部上面に結合板を設置する際、その上面に形成された爪挿入孔に結合板の爪を差し込むように嵌め込み、前記爪と孔との多数の嵌合構造を複数のパネルコーナー部について施すものであるから、施工時の床の不陸や支持脚の設置位置等により施工上の影響を受けやすく、位置ズレ等により嵌め合わせや取り付け作業が困難な欠点がある。
【００１３】
そして、上記特許文献１および２は、爪と孔とのクリアランス寸法のとり方や、複数箇所の爪と孔との嵌合、複数の結合板との嵌合を同時に行う構成は、構造上、非常に設計が難しく、かような設計上の困難性から、爪が孔に入りにくくなってきつくなったり、逆に緩くなってガタツキを生じさせてしまう等の支障が生ずる。
【００１４】
また、上記特許文献３の公知技術は、略方形カバー板を配線溝形成用ブロックの縁の段部に載置され、略方形カバー板の下方に出っ張っている凸部が前記段部に形成された凹部に係合することでカバー板が位置決めされる構成なので、施工が迅速且つ簡単に行えるというメリットはあるが、載せるのみでカバー板が固定されていないため、カバー板の位置ズレやガタツキが生じ、敷設状態の安定性に欠け、位置決め固定が不十分であるという欠点がある。
【００１５】
上記特許文献４の公知技術は、直線部、交差部のカバー部材を床パネル本体と位置決め機構で位置決め固定し、交差部で雌ねじ孔にビスをねじ込みビス止めで取り付ける構造であり、耐震上の効果はあるものの、施工上、例えば配線変更等の必要に応じてパネルやカバーの着脱が困難であり、構造が複雑化し、部品点数が増加するため、施工の煩雑化やコスト増加等の問題がある。
【００１６】
上記特許文献５〜７の公知技術は、回転操作による連結部材の連結構造で、パネル側及び連結部材側の両者に独自の回転式の係合或いは嵌合構造を形成する必要があり、連結部やパネル隅部の構造が複雑化し、部品点数も増加するため、同様に施工の煩雑化やコストアップの問題がある。
【００１７】
そして、連結部材はパネルと別体の分離された部材であるので、前述した様に、施工作業者の設置忘れや紛失の問題もある。
【００１８】
更に、配線溝上に設置するカバーの施工作業性を向上し、上記問題をある程度解消し得る公知技術として、特開平８−５３９２７号公報（床パネル：特許文献８）、特開平９−１５８４５４号公報（配線床の溝蓋の設置方法：特許文献９）、特開平１１−８１６３９号公報（床パネル：特許文献１０）があり、これら特許文献８〜１０の公知技術は、カバーにヒンジ構造や係合・嵌合構造を採用し、パネルとカバーとを一体的に構成し、配線敷設等に伴うカバー開閉による施工作業の向上や、カバー材の設置忘れ、紛失の防止を図る技術である。
【００１９】
ここで、ヒンジ構造としては、実開平６−８５８４５（連結型二重床パネル：特許文献１１）もある。これは、カバー部材ではないが、支持脚付き方形床パネルの隣接するパネル相互を連結する際の施工作業を容易にするため、パネルのー辺側に突出嵌合片を設けその対向する他辺側に、該突出嵌合片が嵌入する嵌着孔を設け、パネル本体が該突出嵌合片の凹溝条によって弾性的に屈曲可能に開閉可能とするパネル連結構造である。このパネルは、樹脂で一体成形され、着脱自在とする構成である。
【００２０】
尚、この他の関連技術として、特開平２−２０２３１７号公報（電線の敷設部構造：特許文献１２）もある。
【００２１】
さらに、実開平６−１５８７号公報（ＯＡフロア床下地材の配置構造：特許文献１４）には、分電器より分電配設される電線および水や温水等を供給する配管に沿って、それらの周囲の床下地材とは色などの異なる表面を有する床下地材を敷設することにより、それらの電線や配管上に位置する床下地材を明示したＯＡフロアの床下地材配置が開示されている。
【００２２】
【特許文献１】
実開平１−１６８７４１号公報
【特許文献２】
実開平５−９６２８１号公報
【特許文献３】
実公平７−５８７号公報
【特許文献４】
特開平９−２９６５９２号公報
【特許文献５】
特開平３−１４４０６０号公報
【特許文献６】
実開平５−５４７３６号公報
【特許文献７】
実開平５−３４２３７号公報
【特許文献８】
特開平８−５３９２７号公報
【特許文献９】
特開平９−１５８４５４号公報
【特許文献１０】
特開平１１−８１６３９号公報
【特許文献１１】
実開平６−８５８４５号公報
【特許文献１２】
特開平２−２０２３１７号公報
【特許文献１３】
実開平４−６６２４８号公報
【特許文献１４】
実開平６−１５８７号公報。
【００２３】
【発明が解決しようとする課題】
ところが、上記特許文献８〜１０の公知技術では、カバーについては、比較的簡単且つ安価な構成で、施工時の開閉動作等も比較的容易なヒンジ構造が採用されているものの、回動により開閉動作するカバーのヒンジ構造自体は、カバーが着脱自在に確実に位置決め固定できる構造として十分に満足できるものではなく、例えばカバーの開状態と閉状態の両者を安定して維持でき、且つ簡単な構造とすることは、設計面やコスト面から非常に困難であった。
【００２４】
また、施工作業性の向上、ヒンジ構造の複雑化、部品点数の増加によるコストアップ等、総合的な問題への対処が全体的に不十分であった。
【００２５】
また、上記特許文献１１の公知技術では、支持脚付き方形床パネル本体の全てを持ち上げ開閉しなければならない作業が必要であり、カバーに比べ重く扱いにくく作業性が悪い。また、この突出嵌合片及び嵌着孔による嵌入構造では、パネル自体の位置決め固定が不十分で安定できず、それ故に、別部材である連結クリップ及び連結用係合孔の構成が必要となり、結局、構造の複雑化、部品点数増加を伴うこととなる。これによって、例えば配線変更等に伴うパネルの開閉作業は、著しく困難となっていた。
【００２６】
更に、ヒンジ部分の連結構造は、嵌入構造及び連結クリップにより多数箇所に及び開閉の際はその嵌合解除に手間が掛かり結局作業性が悪くなる。そして、弾性的に屈曲可能ではあっても、パネル本体は、カバーに比べ重量物であるので繰り返しの開閉動作で破損し易く、耐久性が劣るという種々の問題点があった。
【００２７】
発明の目的
本発明は、上記課題に鑑み提案するものであって、パネルにカバーを簡単且つ確実な構成で着脱自在に取付け、位置決めすることができ、必要に応じて自在にカバーの開閉を容易に且つ確実に行うことが可能であり、カバーの開状態、閉状態の安定性に優れ、施工性を向上することができると共に、ヒンジ構造を備えたカバーを安価に構成できる二重床構造を提供することを目的とする。
【００２８】
【課題を解決するための手段】
本発明に係る二重床構造は、床面に配設された支持部により、複数のパネルを整列配置し、該パネル隅部が集合する箇所に設置されるカバー端部に屈曲性を有する屈曲部とヒンジ係合部を備えるヒンジ部を設け、パネル隅部の集合箇所に於ける少なくとも一つのパネル隅部にヒンジ被係合部を設け、該ヒンジ係合部を該ヒンジ被係合部に着脱可能に係合して、該屈曲部の屈曲により該カバーを開閉可能とするヒンジ機構を構成することを特徴とする。或いは、ヒンジ部の係合部或いは着脱係合部が被係合部に着脱可能に係合し、屈曲部の屈曲によりカバーを開閉可能とするヒンジ機構を構成する。
【００２９】
そして、前記カバーは、略板状の金属材と所定の弾性材若しくは樹脂材を一体化して構成し、該弾性材若しくは樹脂材に前記屈曲性を有する屈曲部とヒンジ係合部を備えるヒンジ部を形成していることを特徴とする。
【００３０】
また、本発明の二重床構造は、床面に配設された支持部により複数のパネルを所定の配線通路を形成する様に整列配置し、該パネル周縁相互間の配線通路上面に架設されるカバーの一方側に、屈曲性を有する屈曲部とヒンジ係合部を備えるヒンジ部を設け、該ヒンジ部と対応する前記パネルの所定箇所にヒンジ被係合部を設け、該ヒンジ係合部を該ヒンジ被係合部に着脱可能に係合して、該屈曲部の屈曲により該カバーを開閉可能とするヒンジ機構を構成することを特徴とする。或いは、ヒンジ部の係合部或いは着脱係合部が被係合部に着脱可能に係合し、屈曲部の屈曲によりカバーを開閉可能とするヒンジ機構を構成する。
【００３１】
そして、前記カバー、前記屈曲部とヒンジ係合部とから成るヒンジ部は、弾性材若しくは樹脂材により構成、又は弾性材若しくは樹脂材で一体成形されて構成されたことを特徴とする。
【００３２】
更に、本発明の二重床構造は、床面に配設された支持部により複数のパネルを所定の配線通路を形成するように整列配置し、パネルの周縁相互問又は隅部周縁相互間の配線通路上面に直線部カバー、交差部カバーを架設し、前記直線部カバーの一方側に、屈曲性を有する屈曲部とヒンジ係合部を備えるヒンジ部を設け、前記パネルの所定箇所に該ヒンジ部と対応するヒンジ被係合部を設け、該ヒンジ係合部を該ヒンジ被係合部に着脱可能に係合して、該屈曲部の屈曲により該直線部カバーを開閉可能とするヒンジ機構を構成すると共に、該直線部カバーに該パネルの側周縁で係合する係合設置部を設け、前記交差部カバーの一端部に、屈曲性を有する屈曲部とヒンジ係合部を備えるヒンジ部を設け、前記パネル隅部の集合箇所に於ける少なくとも一つのパネル隅部にヒンジ被係合部を設け、該ヒンジ係合部を該ヒンジ被係合部に着脱可能に係合して、該屈曲部の屈曲により該交差部カバーを開閉可能とするヒンジ機構を構成すると共に、該交差部カバーに該パネルの隅部周縁で係合する係合設置部を設けることを特徴とする。例えば直線部カバーの少なくとも他方側にパネルの側周縁で係合する係合設置部を設け、交差部カバーの少なくとも他端側にパネルの隅部周縁で係合する係合設置部を設ける構成等とする。
【００３３】
そして、前記カバーのヒンジ部は、該カバーを開けた際、所定位置の開状態から閉状態へ前記屈曲部の屈曲により自動的に復帰することを特徴とする。
【００３４】
また更に、床面に配設された支持部により、複数のパネルを所定の配線通路を形成する様に整列配置し、該パネル周縁相互間の該配線通路上面に直線部カバー及び該パネル隅部が集合する配線通路上面に交差部カバーを架設し、前記直線部カバーは、その一方側に、前記交差部カバーは、その一端部側に夫々開閉可能とするヒンジ部を設け、該直線カバーが隣合って設けられる前記パネルの２辺側と、該パネルの２辺側の該交差部カバーが設けられるパネル隅部又は該直線カバーが隣合って設けられない該パネルの２辺側の該交差部カバーが設けられる前記パネル隅部と、に前記各ヒンジ部と対応するヒンジ被係合部を夫々設け、前記直線部カバー及び前記交差部カバーの各ヒンジ部を、前記ヒンジ被係合部に係合し、前記パネルに該直線部カバー及び該交差部カバーを夫々着脱可能であって開閉自在に設け１ユニットを構成することを特徴とする。
【００３５】
また、前記直線部カバー及び前記交差部カバーの各ヒンジ部は、前記ヒンジ被係合部に係合可能であって、該各カバーが回動操作により開状態にした場合はその開状態を維持し、閉状態にした場合はその閉状態を維持可能とする様に先端部の断面が略Ｒ形状に形成された差込み式構造とすることを特徴とする。
【００３６】
そして、前記カバーのヒンジ部は、該カバーの上面がパネルの上面に近接する開状態を維持可能であることを特徴とする。
【００３７】
そして、前記カバーに回動可能な係止部を設けると共に、該係止部と対応する前記パネルの所定位置に被係止部を設け、該係止部を該被係止部に係合して該カバーの開状態を維持可能であることを特徴とする。
【００３８】
【作用】
本発明に係る二重床構造において、カバーの端部又はカバーの一方側に屈曲性を有する屈曲部とヒンジ係合部を備えるヒンジ部を設け、パネル隅部の集合箇所に於ける少なくとも一つのパネル隅部又はパネルの所定箇所にヒンジ被係合部を設け、該ヒンジ係合部を該ヒンジ被係合部に着脱可能に係合して、前記屈曲部によりカバーを開閉可能とするヒンジ機構を構成することにより、パネル隅部上面又は配線通路の上面に設置されるカバーを容易に着脱可能にし、且つ自由に開閉することが可能である。
【００３９】
また、前記ヒンジ機構により、カバーの施工の際、離脱の際は、施工忘れ、損失を防止することができる。
【００４０】
そして、弾性材若しくは樹脂材により、ヒンジ部とカバー若しくはカバーの一部とを一体成形して形成することにより、カバーを簡単な構成で、安価にすることができる。
【００４１】
また、本発明に係る二重床構造は、直線部カバーの一方側に、屈曲性を有する屈曲部とヒンジ係合部を備えるヒンジ部を設け、前記パネルの所定箇所に、該ヒンジ部と対応するヒンジ被係合部を設け、該ヒンジ係合部を該ヒンジ被係合部に着脱可能に係合して、該屈曲部の屈曲により該直線部カバーを開閉可能とするヒンジ機構を構成すると共に、該直線部カバーに該パネルの側周縁で係合する係合設置部を設けた。
【００４２】
そして、交差部カバーの一端部に、屈曲性を有する屈曲部とヒンジ係合部を備えるヒンジ部を設け、前記パネル隅部の集合箇所に於ける少なくとも一つのパネル隅部にヒンジ被係合部を設け、該ヒンジ係合部を該ヒンジ被係合部に着脱可能に係合して、該屈曲部の屈曲により該交差部カバーを開閉可能とするヒンジ機構を構成すると共に、該交差部カバーに該パネルの隅部周縁で係合する係合設置部を設けた。
【００４３】
これにより、前記パネル隅部上面や、配線通路の上面に設置されるカバーを着脱可能にし、且つ自由に開閉することが可能であり、又、係合設置部の係合により、カバーやパネルを簡単且つ確実に安定して位置決め固定することができる。
【００４４】
また更に、前記直線部カバーはその一方側に、前記交差部カバーはその一端部側に夫々開閉可能とするヒンジ部を設け、該直線カバーが隣合って設けられる前記パネルの２辺側と、該パネルの２辺側の該交差部カバーが設けられるパネル隅部、又は該直線カバーが隣合って設けられない該パネルの２辺側の該交差部カバーが設けられる前記パネル隅部とに、前記各ヒンジ部と対応するヒンジ被係合部を夫々設け、前記直線部カバー及び前記交差部カバーの各ヒンジ部を、前記ヒンジ被係合部に係合し、前記パネルに該直線部カバー及び該交差部カバーを夫々着脱可能であって開閉自在に設け１ユニットを構成している。
【００４５】
これら構成についても、上記と同様な作用を有し、１ユニット化によりパネル施工性が向上すると共に、カバーの設置状態に基づいて、パネル敷設の方向性を確保することができ不陸再調整を回避できる。
【００４６】
また、前記直線部カバー及び前記交差部カバーの各ヒンジ部は、前記ヒンジ被係合部に係合可能であって、該各カバーが回動操作により開状態にした時はその開状態を維持し、閉状態にした時はその閉状態を維持可能とするように先端部の断面が略Ｒ形状に形成された差込み式構造に構成している。
【００４７】
この様に、ヒンジ部を断面が略Ｒ形状に形成された差込み式構造にしたものでは、カバーの着脱が容易でその開閉状態がスムーズになり開閉が可能で操作性がより向上する。
【００４８】
従って、例えばパネル間の配線通路に配線を敷設する際には、配線通路の任意位置で直線部や交差部のカバーを屈曲部の屈曲等で回動し、自在に開閉することが可能であり、配線の敷設、配線の移増設、配線の取り出し等を極めて容易に行うことができる。
【００４９】
また、直線部や交差部等のカバーのヒンジ部を前記屈曲部の屈曲によって開状態から閉状態へ自動的に復帰する構成としたことにより、カバーを閉状態にする作業を省略或いは簡略化して作業の効率化を図ることができる。
【００５０】
【発明の実施の形態】
以下では、本発明の二重床構造の実施形態について説明する。図１〜図１６は実施形態の二重床構造に関し、図１、２は二重床構造の全体構成を示す斜視図及び平面図、図３はパネル、交差部カバー、直線部カバーを示す平面説明図、図４〜図９は直線部カバーに関する図、図１０〜図１４は交差部カバーに関する図、図１５及び図１６は直線部カバーと交差部カバーの閉状態及び開状態に於ける二重床構造を示す部分斜視図である。
【００５１】
本実施例の基本的構成の説明
本実施形態の二重床構造は、図１〜図３に示すように、支持脚分離型のフロアパネルであり、所定の支持部として高さ調整可能な支持脚ユニット１０が床面に配設され、支持脚ユニット１Ｏには略方形の基台ｌ０１の略隅部に４個の支持脚１０２が各々配置して立設され、方形状床板のパネル２０が支持脚１０２で支持されて敷設されている。
【００５２】
前記支持脚ユニット１０に配置された支持脚１０２間等、パネル２０相互間の下方には配線通路５０が形成され、パネル２０間に縦横へ連続して格子状に形成された配線通路５０には、その直線部の上面開口に直線部カバー３０が覆設され、その交差部の上面開口に交差部カバー４０が覆設されている。
【００５３】
支持脚ユニット１０は、床面に敷設される基台１０１と、その基台１０１上に上述した配線通路５０が形成されるように一定の間隔を開けて支持脚１０２が４つ立設されて構成されている。
【００５４】
この各支持脚ｌ０２は、高さ調整機構１０３を備え、高さ調整機構１０３は、略上半分等に螺子切りされたボルト脚部１０３ａにナット部１０３ｂが螺合され、ナット部１０３ｂの側周（若しくは底部若しくは上部）に後述するパネル２０の隅部を支持する略リング形状のパネル受け部１０３ｃが形成されている。
【００５５】
そして、ナット部１０３ｂの上面には、例えば六角レンチが挿入できる六角状の開口部など、ナット回し工具を挿入可能な開口部１０３ｄを有し、開口部１０３ｄにレンチを挿入等してナット部１０３ｂを回動して螺子を回し、ナット部１０３ｂを上下動させ、パネル受け部１０３ｃで支持されるパネル２０の高さを上方から調整し、床面の不陸に対する調整やパネル面を平坦化させる高さ調整が容易に可能な構成である。
【００５６】
前記パネル２０は、図１〜図３に示すように、略方形状の板材であり、その隅部形状は角部先端を切り落として形成され、４辺の側周縁近傍には上述した直線部カバー３０を受けるための段部２０１が形成され、その隅部の周縁近傍にも交差部カバー４０を受けるための段部２０２が形成されており、全周縁に沿って連続的に一巡して段部２０１、２０２が形成されている。
【００５７】
また、パネル２０の底面をパネル受け部１０３ｃで受けてパネル２０を支持脚１０２で支持するために、パネル２０の四隅部には支持脚１０２のナット部１０３ｂを挿入する支持脚挿入孔２０３が設けられている。支持脚挿入孔２０３は、例えばナット１０３ｂを略嵌挿若しくは遊挿可能な程度の大きさとする。
【００５８】
前述の如く、支持脚ユニット１０によるパネル２０の支持及び位置決め等で、パネル２０相互を強固に結合し、パネル２０の位置決め固定を簡単且つ確実に行うことができる。
【００５９】
尚、前記パネル２０は、金属材等の鋼板、更にコンクリート等の充填補強材を充填したものなど、金属製、木製、コンクリート製、金属とコンクリートを複合したもの等、任意の材料で構成することが可能であり、又、中空や空洞のもの、補強リブを形成したもの等、種々の材質、材料、形状を適用して適宜構成することができる。また、その大きさも例えば５００ｍｍ〜６００ｍｍ角の方形で、厚さを約２０ｍｍ〜４０ｍｍとするなど適宜任意のサイズで形成することが可能である。
【００６０】
本実施例の特徴的構成の説明
本発明に係る実施例の特徴的事項は、主に、以下の４つである。
【００６１】
即ち、第１に、前記パネル隅部の集合箇所に設置されるカバー端部にヒンジ部を設け、少なくとも一つのパネル隅部にヒンジ被係合部を設けて構成したことにある。
【００６２】
第２に、前記配線通路上面に設置されるカバーの一方側に、ヒンジ部を設け、該ヒンジ部と対応する前記パネルの所定箇所にヒンジ被係合部を設けて構成したことにある。
【００６３】
第３に、前記パネル（隅部）周縁相互間の配線通路上面に直線部カバー、交差部カバーを設け、前記直線部カバーの一方側に、ヒンジ部を設け、前記パネルの所定箇所に該ヒンジ部と対応するヒンジ被係合部を設け、且つ、前記交差部カバーの一端部に、ヒンジ部を設け、前記パネル隅部の集合箇所に於ける少なくとも、一つのパネル隅部にヒンジ被係合部を設けた構成したことにある。
【００６４】
第４に、前記直線部カバーはその一方側に、前記交差部カバーはその一端部側に夫々開閉可能とするヒンジ部を設け、該直線カバーが隣合って設けられる前記パネルの２辺側と、該パネルの２辺側の該交差部カバーが設けられるパネル隅部、又は該直線カバーが隣合って設けられていない該パネルの２辺側の該交差部カバーが設けられる前記パネル隅部とに、前記各ヒンジ部と対応するヒンジ被係合部を夫々設けて、１ユニットを構成したことにある。
【００６５】
これら特徴的事項に基づいて、以下に具体的に説明する。
【００６６】
直線部カバーの説明
前記パネルの隣り合う二辺の周縁近傍には、後述する直線部カバー３０のヒンジ構造を構成するヒンジ部３０１が係合されるヒンジ係合孔２０４が段差部分の中に形成されている。又、パネル２０の四隅のうち、一つの隅部には、交差部カバー４０のヒンジ部４０４が係合されるヒンジ係合孔２０５が、支持脚挿入孔２０３よりも周縁に近い位置で低く形成された段差部分の中に形成されている。更に、直線部カバー３０のヒンジ構造が構成される前記二辺には、支持脚挿入孔２０３とは別の異なる位置に、直線部カバー３０を開いた時にその開いた状態を維持させるために、後述する直線部カバー３０の係止部を係止するための係止孔２０６が形成されている。
【００６７】
前記直線部カバー３０は、図１〜図７に示すように、略長方形の板状で、パネル２０の隣合う２辺に夫々設けられる直線部カバー３０は共通した形状であり、一方の長辺側にはヒンジ部３０１が側方に突出して形成され、前記ヒンジ部３０１は、直線部カバー３０を回動して開閉する際に屈曲する屈曲部３０１ａと、パネル２０のヒンジ係合孔２０４に着脱自在或いは着脱可能に係合或いは嵌合される略突起形状のヒンジ係合部３０１ｂ（係合部或いは着脱係合部）を有する。
【００６８】
屈曲性を有する屈曲部３０１ａは、例えば薄肉連結部材や切り込みが形成された部材から成るが、直線部カバー３０が開閉可能となる構成であれば適宜であり、好適には、例えば屈曲部３０１ａ或いはヒンジ部３０１を、直線部カバー３０を回動して開状態にした場合に手を離すと弾性復帰して閉状態に復帰して戻る機能を有する等、自動的に復帰する機能を有する構成とするとよい。
【００６９】
また、本実施形態のヒンジ係合部３０１ｂは、弾性力により着脱を容易にすべく、割溝を有する２つの略矢形形状に形成されている。
【００７０】
前記ヒンジ部３０１や前記ヒンジ係合部３０１ｂの形状は任意に設定することが可能であり、例えば図示例の正面視で略矢形形状の他、側面視で略矢形形状とする等適宜である。
【００７１】
他方の長辺側には、図４〜図７に示すように、裏面に波状に複数設けられた返り部３０２ａを有する略舌状の係止部３０２が略中央の１箇所に形成され、直線部カバー３０を開けた際には、係止部３０２の先端等の返り部３０２ａがパネル２０の係止孔２０６に係止することにより、例えば前述した様に自動復帰機能で復帰する直線部カバー３０の開状態等、又はその直線部カバー３０の開状態が維持されるようになっている。
【００７２】
尚、上記の如く係止部３０２に返り部３０２ａを形成すると、係止して直線部カバー３０の開状態を容易に維持し、又、係止を離脱して直線部カバー３０を容易に閉じることができて好適であるが、係止部３０２は係止し、その係止の離脱が容易な構成であれば適宜であり、例えば係止部３０２に返り部３０２を形成しない構成とすることも可能である。また、係止部３０２は弾性力を有する構成とすると好適である。
【００７３】
ヒンジ機構としてのヒンジ部３０１は、開閉に際し、その弾性力によりカバー３０を開けた際、開操作後に自動的に開状態から閉状態に復帰する（自動復帰機能）し、前記直線部カバー３０の場合では、追加配線等の配線敷設時の後に、該直線部カバー３０を閉める手作業、手間を省くことができ、作業の効率化を図ることができる。
【００７４】
更に、前記係止部３０２による係止構造を採用した場合には、配線敷設時等に必要に応じて、直線部カバー３０を手で回動して閉状態から開状態にした際に、直線部カバー３０上面がパネル２０上面に近接した位置になる開状態を維持することが容易且つ確実に可能となり、かかる点からも作業の効率化を図ることができる。
【００７５】
また、前記自動復帰機能と組合せることで、必要に応じてカバーの開状態の維持や閉動作をさせることができ、一層作業の効率化や便宜性を高めることができる。
【００７６】
例えばカバーに回動可能な係止部を設けると共に、該係止部と対応するパネルの所定位置に被係止部を設け、該係止部を該被係止部に係合して該カバーの開状態を一時的に維持可能とする等、直線部や交差部カバーのヒンジ部を、カバー上面がパネル上面に近接する状態を維持可能となる。
【００７７】
そして、直線部カバー３０裏面側には、図４に示すように、パネル２０間及び側周縁近傍の段部２０１間への落とし込みに確実に嵌って位置決められるように、直線部カバー３０の係合設置部として機能し、ズレ防止機能を発揮する突起部３０３が両側に略長手方向へ形成され、両側の突起部３０３間に補強用リブ３０４が形成されており、その表面側は、略平坦化して形成されている。
【００７８】
尚、突起部３０３の形状は、図１６の二点鎖線で示すように、下面両側の所定位置で下方に突出する一対の爪状の突起部３０３ａとするなど適宜の構成を採用することができ、又、略長手方向に形成されている突起部３０３に、更に前記一対の爪状の突起部３０３ａを形成する構成としてもよい。
【００７９】
又、前記爪状の突起部３０３ａは一組或いは所定間隔を開けて複数組設けることが可能である。かような突起部３０３、３０３ａにより、直線部カバー３０を位置決めして確実に設置することができ、耐震性を向上することができる。
【００８０】
前記直線部カバー３０は、例えば１つのパネル２０の隣合う２辺側或いはその周縁に設けられるが、直線部カバー３０は隣合う２つを同時に開状態にした際に、図８に示すように、直線部カバー３０の端部が重なって相互に接触し、干渉し合うことになる場合がある。この際、前述した自動復帰機能を有するヒンジ機構では、両直線部カバー３０の干渉により係止部３０２による係止構造が外れ、自動的に閉状態に復帰してしまう可能性がある。
【００８１】
かような事態を回避するため、両直線部カバー３０の開状態を維持するべく、図９に示すように、両直線部カバー３０を回動して開けた開状態の位置で、両直線部カバー３０が相互に接触する部位に係止手段を設けて、両直線部カバー３０の開状態を維持する係止構造を採用してもよい。
【００８２】
この係止手段は、図示のように、直線部カバー３０の両端部若しくは直線部カバー３０の他の直線部カバー３０と接する側の端部に於いて、その上面に嵌合凹部３０５ａを設けると共に、その下面に嵌合凸部３０５ｂを設け、開状態で隣合って接する一方の直線部カバー３０を下側に位置させ、他方の直線部カバー３０を上側に位置させ、下側の直線部カバー３０の嵌合凸部３０５ｂを上側の直線部カバー３０の嵌合凹部３０５ａに嵌合する構成である。
【００８３】
前記係止手段或いは嵌合手段により、両直線部カバー３０の接触する端部相互で嵌合して固定し、両直線部カバー３０の開状態を維持することができる。
【００８４】
前述の如く、一つの直線部カバー３０の端部上面に嵌合凹部３０５ａを、その下面に嵌合凸部３０５ｂを設けることで、何れの直線部カバー３０を上側或いは下側にして重ねた状態にしても、簡単且つ確実に嵌合することができる。
【００８５】
前記係止構造により、直線部カバー３０の開状態を維持でき、例えばパネル２０を離脱する手を入れるなどパネル２０を着脱する場合や、パネル２０の下に配線器具等を設置する或いは移増設する場合等に有効であり、直線部カバー３０を再度開ける手間を省くことができる。
【００８６】
尚、前記係止部３０２による係止構造と、前記嵌合凹凸部３０５ａ、３０５ｂによる係止構造の両者を設け、直線部カバー３０の開状態の維持をより確実なものにしても好適である。
【００８７】
前述した直線部カバー３０の係止部３０２とパネル２０の係止孔２０６との係止構造や、嵌合凹部３０５ａと嵌合凸部３０５ｂの嵌合による係止構造は例示であり、同一の機能や作用効果を奏する構成であれば適宜である。
【００８８】
尚、直線部カバー３０の上面には、例えば補強用リブ３０４間或いは突起部３０３間にスリット状の開口３０６を設けると、直線部カバー３０の下に敷設された配線や配線器具類を目視で確認することが容易に可能となって良好である。また、開口３０６を補強用リブ３０４間或いは突起部３０３間に設けることで、多数の開口３０６を設けても強度的な問題はなく好適である。
【００８９】
後に詳述するが、直線部カバー３０は、例えば軟質或いは硬質のゴム系材料、ポリプロピレン（ＰＰ）やＡＢＳ、ビニール系樹脂、合成樹脂、その他軟質或いは硬質樹脂などの材料で形成される。本実施形態では、直線部カバー３０の表側すなわち敷設したときの上側の表面を着色して、配線通路５０に収容される配線の種類を可視表示するように構成してもよい。
【００９０】
より詳細には、例えば、電力線などの強電配線を収容する配線通路５０を覆う直線部カバー３０はある色、例えば黒色に、また情報線などの弱電配線を収容する配線通路５０を覆う直線部カバー３０はこれと異なる他の色、例えば青色に施色する。この施色は、上述の樹脂などの材料に顔料を混入させて直線部カバー３０を成形してもよく、または、成形後の直線部カバー３０の表側表面を上述の色の樹脂膜で被覆したり、塗料で塗装したりしてもよい。このような色分け表示により、配線通路５０に収容される、あるいは収容されている配線の種別を一目で判別することができる。
【００９１】
より詳細には、配線通路の底部への塗装などのマーキングによって配線通路の区分表示をする方法に比べて、以下のような特有の効果を奏する。すなわち、直線部カバー３０を外したり開けたりすることなく、配線通路５０内の配線種別を認識できる。したがって、ケーブルを配線したとき、例えば入線部に近い位置では通常、大量の配線がなされるが、それらが床の上に出る部分、すなわち立上り配線にマーキングが隠れて配線種別が識別不能になるおそれがない。
【００９２】
また、直線部カバー３０は、着脱可能に構成されているので、現場の状況に応じて該当する配線種別の色表示のものに変更可能である。例えば、弱電区分として色表示された位置から強電線を立ち上げなければならない状況にあっても、配線立上り部は位置が特定できるため、施工現場でローカルに直線部カバー３０を適切な色表示のものに交換することができる。
【００９３】
直線部カバー３０は、ケーブルの布設前に所期の色表示のものを配設するが、勿論、ケーブルの布設後、配線種別の実態に合った色表示のものに付け替えることも可能である。
【００９４】
この実施形態では、配線種別を直線部カバー３０の表面の色表示によって判別できるようにした。しかし本発明は、これのみに限定されない。色表示に加えて、またはこれに代わって、直線部カバー３０の上側表面の形態をパネル２０のそれと、例えば面模様、疎面／平滑化、エンボス、凹凸など、他の方法で異ならせてもよい。勿論、直線部カバー３０のみでなく、後述の交差部カバー４０についても、同様の色表示ないしは配線種別表示を施してもよい。さらに、上述の例は、強弱電に応じた種別分類であったが、弱電線を弱電源線と通信線とにさらに細かく区分したり、別な分類の仕方をしてもよいことは、言うまでもない。
【００９５】
直線部カバー３０が開操作により開状態を維持できるように構成した場合、前述したように異種配線に応じて直線部カバー３０を色分け区分した実施例では、配線の移増設時に所望のタイルカーペットを剥して、当該色区分に従って該当する直線部カバー３０が一連として色分けされた配線経路をたどり、前述したヒンジ機構によってそれらを開いて、開状態に維持することができる。こうして、配線ルートに沿って、パネル２０の上面に直線部カバー３０が裏返しで固定される。この一連の色分けされた開状態の直線部カバー３０は、開いた状態にも拘わらず、作業者を配線経路にそのまま案内させ、つまり配線経路を指示することができる。したがって、電気工事者やユーザは、配線経路を容易に把握することができる。
【００９６】
従来技術においては、ヒンジ機構が設けられていないため、カバーを一旦開いたり外したりすると、カバーが周囲に散乱しがちであり、それらを離脱させて積み重ねるのが常套であった。そのうえさらに、配線経路を認識し難いという問題があった。そのため、配線の変更、移増設や敷設施工、カバーの再設置などの作業が煩雑であった。しかし、本実施例では、これらの問題を解消することができる。
【００９７】
交差部カバーの説明
次に、交差部カバー４０は、図ｌＯ〜図１２に示すように、略板状の金属材４０１を基体として、金属材４０１の略下面に弾性を有する樹脂材４０２を覆設したものであり、金属材４０１と弾性樹脂材４０２とを重合して一体化し、略多角形或いは略円形に形成されている。
【００９８】
この金属材４０１は、例えば鋼板等の金属製で板状の略八角形に形成され、上面が平坦に形成されていると共に、その裏面側に複数の爪状の凸部４０１ａが設けられ、図示例の凸部４０１ａは、例えば４箇所の所定位置に突設されている。
【００９９】
又、金属材４０１の縁部分は、パネル２０の隅部の段部２０２に設置可能となるように平面状に形成されて設置部として機能すると共に、弾性樹脂材４０２の縁部分と共に、ズレ防止機能を発揮する。
【０１００】
金属材４０１に設ける凸部４０１ａは、例えば鋼板製の場合にプレス打ち抜き折り曲げ加工、込み形成で下方に折り曲げ加工して形成され、例えば集合する各パネル２０の隅部周縁２０７に係合するように、その数だけ対応して設けられる。
【０１０１】
弾性樹脂材４０２は、硬質ゴム等の弾性材料或いは軟質樹脂材料等の樹脂材で形成されており、例えば射出成形等の一体成形で、金属材４０１よりも若干大きい略同一形状に形成されている。その裏面側には、補強機能を有する環状及び十字状の突出部４０３が下方に突出して形成され、金属材４０１が裏面側から差し込み式で係合、嵌め込み可能となるように、前記凸部４０１ａを係入若しくは嵌挿する凹部４０３ａが凸部４０１ａに対応して且つ突出部４０３内に突出して形成されている。前記凸部４０１ａ及び凹部４０３ａに凸部４０１ａが嵌挿された突出部４０３は、後述する係合部若しくは嵌合部若しくは係合設置部を構成する。
【０１０２】
ここで、前記樹脂材４０２に形成されている前記突出部４０３は、交差部カバー４０が集合するパネル隅部に設置する際、その隅部周縁２０７と、そのテーパー部分により圧入されて更にその側周縁部分で接して係合、結合され、交差部カバー４０の設置によって、集合する各パネル隅部が強固に位置決め固定されることとなる。
【０１０３】
そして、更に、パネル隅部周縁２０７と交差部カバー４０の側周縁とが接している係合部分は、金属材４０１である凸部４０１ａを有しているため、凹部４０３ａ部位は、樹脂材のみの場合に比して耐強度性に優れており、耐震性を確保することが可能となる。
【０１０４】
尚、前記嵌め込み構造により、金属材４０１と弾性樹脂材４０２は、容易に離脱しないようになっている。
【０１０５】
更に、弾性樹脂材４０２の一辺側若しくは一角側の一部など所定部位には、ヒンジ部４０４が側方に突出して形成され、例えば弾性樹脂材４０２と一体成形して形成される。
【０１０６】
前記ヒンジ部４０４は、直線部カバー３０のヒンジ部３０１と同様に、交差部カバー４０を回動して開閉する際に屈曲する屈曲部４０４ａと、下方に突出して形成され、パネル２０のヒンジ係合孔２０５に着脱自在或いは着脱可能に係合される略突起或いは凸部形状のヒンジ係合部４０４ｂ（係合部或いは着脱係合部）を有し、パネル２０四隅のうち、１つの隅部に設けられているヒンジ係合孔２０５にヒンジ係合部４０４ｂが係合或いは嵌合して設けられ、ヒンジ構造を構成している。
【０１０７】
屈曲部４０４ａは、前述した直線部カバー３０と同様に、例えば薄肉連結部材や切り込みが形成された部材から成るが、交差部カバー４０が開閉可能となる構成であれば適宜であり、また、本実施形態のヒンジ係合部４０４ｂは、弾性力により着脱を容易にすべく、割溝を有する２つの略矢形形状に形成されている。尚、ヒンジ部４０４やヒンジ係合部４０４ｂの形状は、任意形状とすることが可能であり、例えば図示例の正面視で略矢形形状の他、側面視で略矢形形状とする等適宜である。
【０１０８】
前記屈曲部４０４ａとヒンジ係合部４０４ｂを有するヒンジ部４０４は、直線部カバー３０のヒンジ部３０１の場合と同様に、交差部カバー４０を回動して開状態から閉状態に移行した際に、ヒンジ機構或いは屈曲部４０４ａの弾性力により自動的に閉状態となる自動復帰機能を有するものとしても好適である。
【０１０９】
この場合、交差部カバー４０の上面がパネル２０の上面に近接した位置で開状態を維持するために、交差部カバー４０のヒンジ部４０４が設けられている端部と対向する他方の端部に、係止部３０２等と同様な構造の係止構造や、嵌合凹凸部３０５ａ、３０５ｂと同様な構造の係止構造等を設け、交差部カバー４０の開状態を適宜維持可能な構成とするとよい。
【０１１０】
凹部４０３ａ内に凸部４０１ａを嵌挿して一体化された交差部カバー４０は、パネル２０の隅部が集合する集合箇所に於いて、凹部４０３ａに凸部４０１ａが嵌挿された係合部若しくは嵌合部若しくは係合設置部が、集合箇所の各パネル２０の隅部周縁２０７相互により構成される被係合領域若しくは被嵌合領域に上下方向へ係合若しくは嵌合され、４つのパネル２０の隅部周縁２０７に係合部若しくは嵌合部若しくは係合設置部の外周がそれぞれ接する。
【０１１１】
そして、前記係合部より外周側に位置する弾性樹脂材４０２の底面、即ち、交差部カバー４０の縁部分が各パネル２０隅部の段部２０２の上面に載置され、位置決め固定される。
【０１１２】
更に、パネル２０四隅のうち、１つの隅部に設けられているヒンジ係合孔２０５に係合部４０４ｂを係合して交差部カバー４０を設置し、４つのパネル２０隅部の集合箇所に於ける開口を交差部カバー４０で閉塞して閉状態とする。
【０１１３】
ここで、交差部カバー４０の前記係合部は、例えば側周部を取り囲むように或いは取り巻くように覆って弾性樹脂材４０２が設けられ、前記係合部を４つのパネル２０隅部周縁２０７の前記被係合領域に樹脂を介して係合することにより、従来の欠点であった係合がきつ過ぎたり、緩い過ぎたりすることがなく、前記係合部の弾性・樹脂部分を圧入して確実に係合することが可能となる。
【０１１４】
そして、前記係合部がストッパーとなって交差部カバー４０の位置決め固定を簡単且つ確実に行うことができ、集合する４つのパネル２０隅部の相互作用等により所定の耐震性を得ることができる。
【０１１５】
また、この弾性樹脂材４０２は、パネル２０の隅部周縁２０７や段部２０２に嵌って緩衝材として機能し、金属材４０１によるガタツキ音を防止できる。
【０１１６】
換言すれば、パネル２０相互が支持脚ユニット１０の立設する支持脚１０２で固定支持され、且つ４つのパネル２０の隅部２０２が交差部カバー４０で上方から押さえ付けられると共に、交差部カバー４０の係合部或いは嵌合部が集合箇所の各パネル２０の隅部周縁２０７相互により構成される被係合領域或いは被嵌合領域に上下方向へ係合或いは嵌合する構成の相乗効果により、パネル２０の水平方向等へのズレや移動を規制し、耐震効果を得ることができる。
【０１１７】
尚、交差部カバー４０は、本実施形態では、別体の金属材４０１と弾性材又は樹脂材若しくは弾性樹脂材４０２とを嵌挿し、容易に離脱しないように圧入する構成としたが、例えばインサート成形等により一体成形にしてもよい。
【０１１８】
また、本実施形態では図示例のように、凸部４０１ａが全て弾性樹脂材４０２等で覆われる例を示したが、必ずしもその必要はなく、例えばパネル２０の隅部周緑２０７に接する箇所で、その先端を除いて側周部のみを弾性樹脂材４０２等で取り巻くように形成してもよい。
【０１１９】
ここで、前記金属材４０１としては、鋼材やアルミ材等を適宜使用することができ、又、弾性材若しくは樹脂材若しくは弾性樹脂材４０２、或いは直線部カバー３０の材料としては、軟質或いは硬質のゴム系材料、ポリプロピレン（ＰＰ）やＡＢＳ、ビニール系樹脂、合成樹脂、その他軟質或いは硬質樹脂を適宜使用可能であり、屈曲性のある材料を選択すれば、前述した様にヒンジ機構として自動的に復帰する機能或いは歩行時等に発生するガタツキ音発生防止機能が得られる。
【０１２０】
前記自動復帰機能を有するものとする場合や、開状態を維持するものとする場合、所定の材料を選択し、その材料に応じて屈曲部３０１ａ、４０４ａやヒンジ部３０１、４０４等を所定の肉厚や幅に適宜設定して構成することができる。
【０１２１】
更に、ヒンジ部３０１、４０４或いは屈曲部３０１ａ、４０４ａは、樹脂成形後に或いはその直後に数回の繰り返し曲げでヒンジ効果を強化する手法により、ヒンジによる結合をより強化すると共に、ヒンジ屈曲の耐久性を向上することができる。
【０１２２】
また、交差部カバー４０を用いる際に、前記配線通路を形成するものでなくとも、パネル２０相互を突合せ敷設して整列配置し、パネル隅部の交差部分に交差部カバー４０を設けたものでも本発明に包含され、パネル２０相互間に配線通路５０が形成される場合でも形成されない場合でも、本発明によりパネル２０相互の強固な結合、交差部カバー４０の確実な位置決め固定、ガタツキ音の防止、所定の耐震性確保の効果を得ることができる。
【０１２３】
また、交差部カバー４０は、図２に示すように、１つのパネル２０に於いて、直線部カバー３０がそれぞれ取付けられている隣合う２辺側の隅部に設けてもよいが（実線位置）、直線部カバー３０が取付けられていない隣合う２辺側の隅部に設けると好適であり（二点鎖線位置）、２つの直線部カバー３０と交差部カバー４０とは、パネル２０の互いに離れた位置の２辺側と隅部にそれぞれ設けるとよい。
【０１２４】
即ち、前者の場合は、例えば２つの直線部カバー３０を開けた際に交差部カバー４０も開けると３つのカバー３０、４０が互いに干渉し合うことになるのに対し、後者の場合はかかる事態を回避することができ、開閉操作や施工性を向上することができる。
【０１２５】
尚、二点鎖線の交差部カバー４０の上下左右位置にも、図示しない他のパネルによる直線部カバー３０が設置されるが、それらは開閉方向が異なるため交差部カバー４０と干渉しない。
【０１２６】
例えば少なくとも２つの直線部カバー３０を開状態にすれば、そこに手を入れて容易にパネル２０本体を取り外すことが可能である等、直線部カバー３０、交差部カバー４０の開閉により、例えばパネル２０の下方に先行配線された後でも、配線の敷設や移増設を容易且つ迅速に行うことができると共に、パネル２０の隅部の集合箇所に於ける隅部周縁２０７と交差部カバー４０との係合設置構造や、パネル２０の側周縁相互間と直線部カバー３０との係合設置構造等により、カバー３０、４０やパネル２０を簡単且つ位置決め固定し、強固に結合することができ、所定の耐震性を得ることができる。
【０１２７】
他の実施例の説明
交差部カバーの説明
ここで、別例の交差部カバー４０について、図１３，１４を用いて詳細に説明する。別例の交差部カバー４０では、図１３及び図１４に示すように、鋼板製等の金属材４０１が略八角形の板状に形成され、その表面側は平坦に形成されており、又、裏面側の内方の所定位置にバネ状の第１係合部４１１が下方に突出して４箇所形成され、裏面側の外周縁近傍の３箇所に爪状の第２係合部４１１が下方に突出して形成されている。
【０１２８】
第１係合部４１１は、例えば絞りプレス加工等で形成され、第２係合部４１２は例えば打ち抜き、折り曲げ加工等で形成される。また、第１係合部４１１及び第２係合部以外の裏面には略板状の弾性樹脂材４０２が重合され、弾性樹脂材４０２には上記と同様に、側方に突出してヒンジ部４０４が設けられ、ヒンジ部４０４は屈曲部４０４ａとヒンジ係合部４０４ｂを有する。
【０１２９】
尚、上記と同様に、弾性樹脂材４０２が第１係合部４１１や第２係合部４１２の側周縁や全体など所定部分に覆設されるようにしてもよい。
【０１３０】
他方に於いて、４つのパネル２０の隅部には上記と同様に段部２０２が形成されており、そのうち３つのパネル２０隅部の段部２０２内端位置には第２係合部４１２を係合する係合孔２１１が形成され、１つのパネル２０の隅部には図３、図１４に示す様に、ヒンジ係合孔２０５が形成されている。
【０１３１】
尚、係合孔２１１は第２係合部４１２を係合しやすいように第２係合部４１２よりも若干大きく形成すると好適である。
【０１３２】
そして、パネル２０の隅部の集合箇所に於いて、交差部カバー４０を、ヒンジ係合孔２０５にヒンジ部４０４のヒンジ係合部４０４ｂを係入して取付け、隅部周縁２０７相互で形成される被係合領域に第１係合部４１１を係合して、弾性或いはバネ性を有する第１係合部４１１を隅部周縁２０７に圧接させると共に、パネル２０の係合孔２１１に爪状の第２係合部４１２を挿入して係合し、交差部カバー４０は底面の弾性樹脂材４０２を介して段部２０２の上面に載置された状態で位置決め固定される。前記位置決め固定ではパネル２０の隅部も交差部カバー４０の係合で相互に結合される。
【０１３３】
そして、第１係合部４１１と第２係合部４１２の係合により、交差部カバー４０で４箇所のパネル２０の隅部を結合し、更に、第１係合部４１１及び被係合領域との係合と、第２係合部４１２及び係合孔２１１との係合は、その間に位置するパネル２０の部分を狭持するように作用し、相乗効果を発揮して交差部カバー４０によりパネル２０の隅部相互を強固に結合することができ、交差部カバー４０の位置決め固定も簡単且つ確実に行うことができ、耐震性を得ることができる。
【０１３４】
このカバー係合構造によれば、第２の係合部４１２によるパネル隅部への係合は、比較的ラフな係合が可能で、寸法設定の設計に自由度があり、第１の係合部４１１によるパネル隅部周縁２０７への係合により、設置時に、第１の係合部４１１の先端部分が、パネル隅部の側周縁に上方から圧入され相接することにより、より確実な位置決め固定が前記挟持作用と相まって成される。
【０１３５】
これによって、前述した特許文献１）、（２）の公知技術の欠点を解消することができ、第１、第２の係合部の相乗的係合作用によって、多数の交差部カバー４０により集合する各パネル隅部相互を強固に係合、結合でき、パネル２０の位置決め固定が可能となり、しかも、ヒンジ構造を採用した際には、交差部カバー４０が簡単に開閉自在となり、パネル２０の位置決め固定と、配線溝（通路）交差部の開放形成とが迅速、且つ選択的に行うことができる。
【０１３６】
また、交差部カバー４０は、金属材４０１の底面に貼設された弾性樹脂材４０２を介してパネル２０の隅部、例えば段部２０２の上面に載置されるので、弾性樹脂材４０２が緩衝材として機能し、例えば歩行時など金属材４０１によるガタツキ音を防止できる。
【０１３７】
パネルとカバーによるユニットの説明
次に、前述したヒンジ構造を用いて、パネル２０と、直線部カバー３０及び交差部カバー４０とによりユニットを形成する場合について説明する。
【０１３８】
ヒンジ構造を用いてユニットを形成する場合に二重床構造は、例えば図２、図３、図１７〜図１９に示す様に、所定の配線通路５０を形成し、支持部としての支持脚ユニット１０を床面に配設すると共に、複数のパネル２０を該支持部で支持して所定間隔で整列配置し、該パネル周縁相互間の配線通路上面に直線部カバー３０及び該パネル隅部が集合する配線通路上面に交差部カバー４０を架設して構成される。
【０１３９】
前記直線部カバー３０には、その一方側に、前記交差部カバー４０には、その一端部側に、夫々開閉可能とするヒンジ部３０１、４０４、３１０、４１０を設けている。
【０１４０】
該直線部カバー３０が隣合って設けられる前記パネル２０の２辺側と、該パネル２０の２辺側の該交差部カバー４０が設けられるパネル隅部、又は該直線部カバー３０が隣合って設けられていない該パネル２０の２辺側の該交差部カバー４０が設けられる前記パネル隅部（図１７参照）とに、前記各ヒンジ部３０１、４０４、３１０、４１０と対応するヒンジ被係合部（ヒンジ係合孔２０４，２０５）を夫々設けている。前記直線部カバー３０及び前記交差部カバー４０の各ヒンジ部３０１、４０４、３１０、４１０を、前記ヒンジ被係合部（ヒンジ係合孔２０４、２０５）に係合し、前記パネル２０に該直線部カバー３０及び該交差部カバー４０が夫々着脱可能であって開閉自在に設けられ、１ユニットを構成することができる。
【０１４１】
ここで、前記直線部カバー３０及び前記交差部カバー４０とパネル２０とのヒンジ構造は、前述した各ヒンジ部３０１、４０４、３１０、４１０及びその対応する各ヒンジ被係合部（ヒンジ係合孔２０４、２０５）の係合可能な構成で、各カバー３０、４０が回動操作により開状態にした場合にはその開状態を維持し、閉状態にした場合にはその閉状態を維持可能とする構成であれば良好である。
【０１４２】
或いは、例えば図１７〜図１９に示す様に、ヒンジ部３１０、４１０に断面が略Ｒ形状のＲ形状部３１０ａ，４１０ａを形成し、差込み式構造とすることが好適である。この構造によれば、直線部及び交差部の各カバー３０、４０をほぼ開状態の任意の位置で先端を、パネル開口部分であるヒンジ被係合部（ヒンジ係合孔２０４、２０５）に上方から差し込んで、カバー３０、４０を開閉自在のヒンジ構造を形成できる。
【０１４３】
このヒンジ構造では、差し込み式のヒンジ構造の一例として、ヒンジ部３１０、４１０或いはその先端部分の断面を略Ｒ形状のＲ形状部３１０ａ、４１０ａにしたので開閉がスムーズにでき、図示の様に、開状態と閉状態とのいずれか任意の状態に、材料の弾性力によることなく、簡単にその状態を選択的に維持できる。
【０１４４】
尚、図示例では、差し込み構造のヒンジ部３１０、４１０の先端部分の両端には、差し込みで圧入ができる突起３１０ｂ、４１０ｂを形成したが、これは簡単に離脱しない様にパネル２０とカバー３０とがヒンジ係合を保持するもの或いはヒンジ部３１０、４１０をヒンジ係合孔２０４、２０４に係止するものであればよく、この構造は、任意に変更可能であり、これを限定するものではない。また、カバー３０、４０は、この例では、硬質樹脂の一体成形でも、金属材でも容易に構成することができる。
【０１４５】
又、上記実施例では、交差部カバー４０に於いて、弾性樹脂材４０２を金属材４０１の底面に貼設し、重合して設ける例を示したが、これに限らず、直線部カバー３０に於いても同様に、弾性樹脂材を金属板の底面に貼設し、重合して設けた構成にしても良く、これにより、カバーの強度をより向上することができる。
【０１４６】
又、上記実施例では、上述の様に前記各種のヒンジ部３０１、４０４、３１０、４１０とヒンジ係合孔２０４、２０５とによるヒンジ構造を採用することにより、パネル２０に隣合う２つの直線部カバー３０及びその対向するパネル隅部位置に交差部カバー４０を、任意に開閉可能にヒンジ連結して１ユニットを構成したので、各カバー３０，４０を開けるだけで外さずにパネル２０と１ユニットとして取り外しすることができ、またカバー３０、４０がヒンジ連結されているのでパネル２０の向きを元の設置した位置の所定一方向に維持することができ、施工作業が簡単になる。
【０１４７】
このため、例えば経時変化等によるパネル２０の歪、そり等（クリープ現象）が生じても、元の敷設の向きにパネル２０の敷設方向を容易に合わせることができ、不陸の再調整をする必要がなくなる。
【０１４８】
施工方法の説明
次に、本実施形態の二重床構造の施工方法の例について説明する。
【０１４９】
先ず、スラブ床面にその部屋の敷設面積、大きさや形状に応じ、支持脚ユニット１０を立設するための位置決め用の墨出し線が引かれる。墨出しは、パネル２０の敷設位置や配線通路５０の位置などを考慮して行われる。
【０１５０】
そして、墨出し線が引かれた支持胸ユニット１０の立設位置に支持脚ユニット１０を所定間隔で設置する。この際に、高さ調整機構１０３を有する場合には高さ調整作業が行われ、又、これによりパネル２０の位置と配線通路５０との位置関係が特定される。
【０１５１】
その後、支持脚ユニット１０或いは支持脚ｌ０２間にパネル２０を敷設していく。本実施形態では、４つの支持脚ユニット１０に対して１枚のパネル２０を敷設し、端部等以外のパネル２０の４隅部は、隣接して敷設されるパネル２０の隈部とそれぞれ突合或いは隣接し、互いに集合する。これにより、配線通路５０のみが上面開口で形成され、配線通路５０を残して整然としてパネル２０が敷設される（図１、図２）。
【０１５２】
また、主要幹線等の幹線配線、配線器具設置が必要な場合は、パネル２０の敷設前に電気配線業者が先行して設置や配線を行う。
【０１５３】
その後、直線部カバー３０及び交差部カバー４０を、パネル２０の相互間やパネル２０の隅部相互間に夫々設置する（図１、図２、図１５、図１６）。各カバー３０、４０は開閉可能とするヒンジ構造を構成するヒンジ部３０１、４０４を有するので、パネル側の係合孔２０４、２０５に係合してカバー３０、４０を取り付けて固定し、カバー３０、４０を設置する。
【０１５４】
ここで、パネル２０の隅部の集合箇所に交差部カバー４０の設置する際、支持脚ユニット１０でのパネル２０の支持や、パネル２０の隅部周縁２０７と交差部カバー４０の上記係合部或いは第１係合部４１１との係合により、パネル２０の隅部は相互に結合され、交差部カバー４０は係合され位置決め固定される。
【０１５５】
尚、パネル２０は直線部カバー３０の設置状態に関わらず、安定して固定設置され支持される。その後、パネル２０、直線部カバー３０、交差部カバー４０上に、最後の仕上げとして仕上材を敷設する。壁際・柱等の回りのボーダー処理については省略する。
【０１５６】
次に、二重床構造の施工後にレイアウトや配線類の移・増設等の変更の必要性が生じ、新たに配線の敷設や配線器具等の設置を行う場合について説明する。
【０１５７】
この場合、直線部カバー３０及び交差部カバー４０は、順次にヒンジ部３０１、４０４によるヒンジ構造で開閉可能に構成されているので、任意位置のカバー３０、４０を開ける。この際の回動操作により、交差部カバー４０の上面がパネル２０の隅部近傍領域の上面側に来るように配置し、開口状態を維持しておくようにする。
【０１５８】
また、回動操作により、直線部カバー３０の上面がパネル２０の側周縁近傍領域の上面側に来るように設置し、カバー３０に設けられている係止部３０２を、前記側周縁近傍領域の上面側の係止孔２０６に係止して配線通路５の開口状態を維持するようにしておく。
【０１５９】
上記の如くカバー３０、４０を開口状態にすることで、配線通路５０の上面は全て連続して開口した状態となり、その上方から配線類を落とし込んで敷設することができる（図１６）。
【０１６０】
更に、配線通路５０の開口から、配線類や配線器具類を設置することができない場合は、各カバー３０、４０は開口状態を維持しているので、その配線通路５０の開口を利用して、作業者がその開口に手をいれることができ、パネル２０を引き上げてパネル２０の下方を露出させ、簡単に配線類等を設置することが可能である。
【０１６１】
例えばパネル２０の１枚に対し、隣り合う少なくとも２辺の直線部カバー３０が開口状態を維持していれは、作業者は手を入れて、その１枚のパネル２０を引き上げる事が簡単できる。
【０１６２】
この際、反対側の２辺の直線部カバー３０は、係合して取り付けられていないので、その開口状態で有るか無いかに関わらず、パネル２０の離脱、取り外しは容易に可能である。
【０１６３】
尚、本実施形態の場合、パネル２０の１枚に対し、隣接辺に直線部カバー３０が２枚、その２枚の直線部カバー３０間のパネル２０隅部、又はその対向する位置のパネル２０隅部に、交差部カバー４０の１枚が、その係合部やヒンジ部３０１、４０４の係合により着脱可能に設置されることとなる。
【０１６４】
実施例の効果
そして、上記実施形態の二重床構造は、以下の主な効果を有する。
【０１６５】
（１）パネル２０に直線部カバー３０、交差部カバー４０を設置する構造は、段部２０２、２０３や、ヒンジ部３０１、４０４及びヒンジ係合孔２０４、２０５からなるヒンジ係合構造や、係合部と被係合領域に係合構造や、係止部３０２及び係止孔２０６からなる係止構造で基本的に構成されるため、カバー３０、４０を設置した二重床構造は複雑化することが無く、加工・製造・施工が容易である。
【０１６６】
（２）カバー３０、４０には、硬質樹脂、軟質樹脂、その他のゴム等の弾性材料を用いることが可能であり、安価で且つ容易に加工・製造することができる。また、これらの材料により、ヒンジ係合構造、嵌合・係合構造、係止構造を構成する部分を一体成形することが可能であることから、かかる点からも安価で且つ容易に加工・製造することができる。
【０１６７】
（３）カバー３０、４０は、樹脂材を用いて構成することにより、小型化や軽量化を図ることが可能であるので、開閉動作を容易に行うことができると共に、その開状態や閉状態の維持を容易に行うことができ、施工作業も容易に且つ効率的に行うことができる。特に、カバー３０、４０のヒンジ部３０１、４０４を樹脂材で構成することができ、そのヒンジ部３０１、４０４により、カバー３０、４０の回動、開閉操作が容易に且つスムーズに行うことができる。従って、カバー３０、４０の開閉により、例えばパネル２０の下方或いは配線通路５０に先行配線された後でも、配線の敷設、移増設を容易に行うこともできる。
【０１６８】
（４）カバー３０、４０は、例えばヒンジ部３１０、４１０によるヒンジ構造で開閉可能な構造とし、例えば、パネル２０隅部の交差部カバー４０を開状態とし、隣り合う２つの直線部カバー３０を開状態に維持すれば、直線部カバー３０による配線通路５０の開口部に容易に手を入れてパネル本体を持ち上げ着脱することが簡単にできる。これにより、パネル２０下に配線器具を設置したり、パネル２０下の配線変更等を容易に可能とする。
【０１６９】
（５）カバー３０、４０は、ヒンジ係合構造でパネル２０側と一旦結合されれば、容易に離脱したり損失したりすることが無く、カバーの３０、４０の取り扱いが簡単であり、又、カバー３０、４０の着脱も自在にできる。
【０１７０】
（６）交差部カバー４０は、金属材４０１と弾性樹脂材４０２若しくは樹脂材若しくは弾性材とを重合して構成するので、金属材４０１に薄い板材等を使用して小型化、軽量化を図ることができ、又、弾性樹脂材４０２等に突出部４０３等の補強リブを形成することが可能となり、低コストで十分な強度を得ることができる。
【０１７１】
（７）交差部カバー４０の係合部を、例えば少なくとも側周縁を弾性樹脂材４０２で取り囲む構成等とすることにより、交差部カバー４０を圧入して設置する際に、弾性樹脂材４０２等がパネル２０の隅部周縁２０７と接触することになるので、交差部カバー４０を容易に嵌合して設置することが可能となり、簡単且つ確実に位置決め固定することができる。また、交差部カバー４０の被係合領域やパネル２０等との適宜の接触箇所を、弾性樹脂材４０２等を用いて構成することにより、パネル２０等との接触においてガタツキ、及びガタツキ音の発生を防止することができる。
【０１７２】
（８）パネル２０を、支持脚１０２を支持脚挿入孔２０３に挿入することにより設置し、或いは第２係合部４１２を係合孔２１１に挿入する係合構造等により、パネル２０相互を強固に結合し、簡単且つ確実に位置決め固定することができる。
【０１７３】
【発明の効果】
本発明の二重床構造は、ヒンジ部或いはヒンジ係合部によりパネルにカバーを簡単且つ確実な構成で着脱自在に取り付けることができ、必要に応じてカバーの開閉を容易に且つ自在に、確実に行うことができる効果を奏する。
【０１７４】
また、カバーの開状態及び閉状態の安定性に優れ、施工性を向上することができる。
【０１７５】
更に、カバーの形状、ヒンジの構造等を簡単な構成で製造することができ、カバーの低コスト化に寄与できる。
【図面の簡単な説明】
【図１】実施形態の二重床構造の全体構成を示す斜視図。
【図２】実施形態の二重床構造の全体構成を示す平面図。
【図３】実施形態に於けるパネル、交差部カバー、直線部カバーを示す平面説明図。
【図４】（ａ）直線部カバーの平面図。
（ｂ）直線部カバーの正面図。
（ｃ）直線部カバーの側面図。
【図５】直線部カバーの開閉を説明する拡大平面図。
【図６】直線部カバーの開閉を説明する拡大縦断側面図。
【図７】直線部カバーの一部の裏面を示す斜視図。
【図８】直線部カバーの開状態を説明する斜視説明図。
【図９】別例の直線部カバーの開状態を説明する斜視説明図。
【図１０】（ａ）交差部カバーの平面図。
（ｂ）交差部カバーの縦断正面図。
（ｃ）交差部カバーのヒンジ係合部の側面図。
【図１１】（ａ）交差部カバーの金属材の平面図。
（ｂ）交差部カバーの金属材の縦断正面図。
【図１２】（ａ）交差部カバーの樹脂材の平面図。
（ｂ）交差部カバーの樹脂材の縦断正面図。
（ｃ）交差部カバーの樹脂材のヒンジ係合部の縦断側面図。
【図１３】（ａ）別例の交差部カバーの平面図。
（ｂ）別例の交差部カバーのＡ−Ａ線矢視縦断面図。
【図１４】（ａ）別例の交差部カバーの閉状態を示す縦断正面図。
（ｂ）別例の交差部カバーの開状態を示す縦断正面図。
【図１５】直線部カバーと交差部カバーの閉状態に於ける二重床構造を示す部分斜視図。
【図１６】直線部カバーと交差部カバーの開状態に於ける二重床構造を示す部分斜視図。
【図１７】他の実施形態を示す二重床構造の全体構成（１ユニットの構成）を示した平面図。
【図１８】直線部カバーのＲ形状部によるヒンジ構造の部分を示す拡大平面図。
【図１９】（ａ）直線部カバーのＲ形状部によるヒンジ構造部分の閉状態を示す拡大断面図。
（ｂ）直線部カバーのＲ形状部によるヒンジ構造部分の開状態を示す拡大断面図。
【符号の説明】
２０　パネル
２０１、２０２　段部
２０４、２０５　ヒンジ係合孔
２０７　隅部周縁
３０　直線部カバー
３０１、４０４　ヒンジ部
３０１ａ、４０４ａ　屈曲部
３０１ｂ、４０４ｂ　ヒンジ係合部
３０５ａ　嵌合凹部
３０５ｂ　嵌合凸部
３１０、４１０　ヒンジ部
３１０ａ、４１０ａ　Ｒ形状部
３１０ｂ、４１０ｂ　突起
４０　交差部カバー
４０１　金属材
４０１ａ　凸部
４０２　弾性樹脂材
４０３　突出部
４０３ａ　凹部
４１１　第１係合部
４１２　第２係合部
５０　配線通路
【図１】
2004143915.tif 000003
【図２】
2004143915.tif 000004
【図３】
2004143915.tif 000005
【図４】
2004143915.tif 000006
【図５】
2004143915.tif 000007
【図６】
2004143915.tif 000008
【図７】
2004143915.tif 000009
【図８】
2004143915.tif 000010
【図９】
2004143915.tif 000011
【図１０】
2004143915.tif 000012
【図１１】
2004143915.tif 000013
【図１２】
2004143915.tif 000014
【図１３】
2004143915.tif 000015
【図１４】
2004143915.tif 000016
【図１５】
2004143915.tif 000017
【図１６】
2004143915.tif 000018
【図１７】
2004143915.tif 000019
【図１８】
2004143915.tif 000020
【図１９】
2004143915.tif 000021